(57)【特許請求の範囲】
【請求項１】
端子を突出させるための孔を有する筺体と、前記筺体内に回転可能に保持された回転体と、前記回転体の回転位置に応じて前記端子との間で導通と非導通との切換えが行われる可動接点を有する接点機構部と、前記回転体の回転を検出する回転検出手段と、前記回転体の回転操作に節度感を生じさせる節度機構部とを有する回転型電気部品であって、
前記節度機構部は、前記回転体の径方向へ移動可能に保持され前記径方向に弾性付勢される駆動部材と、前記駆動部材が前記回転体の回転に伴って係脱する複数の凹凸部が形成されたカム部を有するカム部材と、前記カム部材に一体に設けられ前記カム部を覆う板状部とを具備し、
前記板状部を挟んで一方側に前記孔が配置され、他方側に前記カム部が配置され、
前記回転体は、前記カム部を挟んで前記板状部と対峙する鍔部を有することを特徴とする回転型電気部品。
【請求項２】
前記回転検出手段は、前記端子が配置された側に対して前記板状部を挟んで反対側に位置する前記回転体の基部に設けられた導電パターンと、前記筺体内に保持され、前記導電パターンと摺接する摺動子とを有することを特徴とする請求項１に記載の回転型電気部品。
【請求項３】
前記回転検出手段は、前記導電パターンを形成する金属板と、該金属板が埋設された絶縁板とを有し、
前記絶縁板は、前記回転体に取り付けられていることを特徴とする請求項２に記載の回転型電気部品。
【請求項４】
前記カム部材は、前記回転体の外周面に対向する環状の壁部と、前記壁部の内周面に設けられた前記カム部とを有し、
前記回転体は、前記駆動部材を前記壁部に向けて弾性付勢する弾性部材を収納する収納部を有することを特徴とする請求項１に記載の回転型電気部品。
【請求項５】
前記接点機構部は、前記回転体側へ突出する係合部を有し、
前記回転体は、回転に応じて前記係合部を係脱して前記端子と前記可動接点との導通状態を切り換える溝部が形成された突堤部を前記回転の方向に沿って有し、
前記溝部と前記収納部とは、前記回転の方向において異なる位置に設けられ、
前記収納部は、前記回転体の前記突堤部が形成された一面側に開口部を有すると共に、該開口部の一部を塞いで前記弾性部材の位置を規制する規制部を有することを特徴とする請求項４に記載の回転型電気部品。
【請求項６】
一対の前記端子と、
前記一対の端子に対応した一対の前記突堤部とを具備し、
前記一対の突堤部は、それぞれ前記回転体の回転中心から異なる距離に同心円状に設けられ、各々の突堤部には、前記回転体の回転方向において異なる位置に前記溝部が形成されていることを特徴とする請求項５に記載の回転型電気部品。
【請求項７】
前記駆動部材は、球体であり、
前記収納部は、前記回転体の径方向に形成され前記回転体の外周面に開口部を有すると共に前記球体を前記径方向に移動可能にガイドする穴部であり、
前記回転体の外周面と前記カム部の凹部との間の間隔は、前記球体の直径よりも小さいことを特徴とする請求項４に記載の回転型電気部品。
【請求項８】
前記回転体は、内周面に複数の突部が設けられた筒状軸を有し、
前記筺体は、内部に前記摺動子が配設されるケースと、前記端子が突出されるカバーとを有し、前記ケース及び前記カバーには、それぞれ前記回転体の筒状軸を回転可能に支持する支持部が設けられ、前記ケース及び前記カバーのうちの少なくとも一方には、前記回転体の筒状軸の内部と前記筺体外部とを連通させる孔部が形成されていることを特徴とする請求項２に記載の回転型電気部品。
【請求項９】
前記ケースと前記カバーとは、前記ケース及び前記カバーのうちの一方に設けられた爪部と他方に設けられた弾性腕の孔部とが係合されて一体化されることを特徴とする請求項８に記載の回転型電気部品。
【発明の詳細な説明】
【技術分野】
【０００１】
本発明は、回転型電気部品に関し、特に、電子機器等の各種制御に使用される回転型電気部品に関する。
【背景技術】
【０００２】
従来、電子機器等の各種制御に使用される回転型電気部品においては、回転軸を中心に回転可能に支持された操作体が用いられており、この操作体の回転操作に節度ある操作感（クリック感触）を持たせたものが考えられている（特許文献１参照）。
【０００３】
この従来の回転型電気部品においては、その操作体の回転軸の外周部に鍔部が突出形成され、この鍔部の上面に凹凸部が形成されている。この凹凸部には、接触体が所定の付勢力をもって接触するように構成されていることにより、操作体の回転操作に節度感（クリック感）が得られる。
【特許文献１】特開２００６−２６０８４０号公報（第１図）
【発明の開示】
【発明が解決しようとする課題】
【０００４】
かかる従来の回転型電気部品では、操作体をカバーで覆っているものの、このカバーには、電源入力端子をカバー内部から外部に引き出すための孔が形成されており、この孔を介してカバー内部に異物が侵入する場合があった。特に、鍔部に形成された凹凸部に異物が付着すると、操作体の回転操作の節度感を維持することが困難になる問題があった。
【０００５】
本発明はかかる問題点に鑑みてなされたものであり、回転操作の節度感を維持し得る回転型電気部品を提供することを目的とする。
【課題を解決するための手段】
【０００６】
本発明の回転型電気部品は、端子を突出させるための孔を有する筺体と、前記筺体内に回転可能に保持された回転体と、前記回転体の回転位置に応じて前記端子との間で導通と非導通との切換えが行われる可動接点を有する接点機構部と、前記回転体の回転動作を検出する回転検出手段と、前記回転体の回転に伴って節度感を生じさせる節度機構部とを有する回転型電気部品であって、前記節度機構部は、前記回転体の径方向へ移動可能に保持され前記径方向に弾性付勢される駆動部材と、前記駆動部材が係脱する複数の凹凸部が形成されたカム部を有するカム部材と、前記カム部材に一体に設けられ前記カム部を覆う板状部とを具備し、前記板状部を挟んで一方側に前記孔が配置され、他方側に前記カム部が配置され、前記回転体は、前記カム部を挟んで前記板状部と対峙する鍔部を有することを特徴とする。
【０００７】
上記回転型電気部品によれば、端子を突出させるための筺体の孔から異物が侵入した場合であっても、その異物は、板状部によって遮られるため、節度機構部までは達し難くなる。これにより、カム部に異物が付着することによる回転操作の節度感の低下を未然に防止して、良好な操作感を維持することができる。また、回転体の径方向に弾性付勢された駆動部材を係脱する凹凸部が形成されたカム部材においては、その凹凸部が形成された面が回転体の回転軸線方向に向くように設けられることにより、回転体の回転軸線を鉛直方向に向けて配置した場合には、カム部材の凹凸部が形成された面が直立した状態となることにより、凹凸部に異物が溜り難くすることができる。
【０００８】
また、上記回転型電気部品において、前記回転検出手段は、前記端子が配置された側に対して前記板状部を挟んで反対側に位置する前記回転体の基部に設けられた導電パターンと、前記筺体内に保持され、前記導電パターンと摺接する摺動子とを有することが好ましい。この場合には、導電パターンと摺動子との接点切換えの信頼性を向上させることができる。
【０００９】
例えば、上記回転型電気部品において、前記回転検出手段は、前記導電パターンを形成する金属板と、該金属板が埋設された絶縁板とを有し、前記絶縁板は、前記回転体に取り付けられていることが好ましい。この場合には、導電パターンを形成する金属板と絶縁板とからなる回転検出手段を変更するだけで、導電パターンによる接点切換えのタイミングが異なる回転型電気部品を得ることができる。これにより、構成が複雑であり金型が高価な回転体を共通に用いることができる。
【００１０】
また、上記回転型電気部品において、前記カム部材は、前記回転体の外周面に対向する環状の壁部と、前記壁部の内周面に設けられた前記カム部とを有し、前記回転体は、前記駆動部材を前記壁部に向けて弾性付勢する弾性部材を収納する収納部を有することが好ましい。この場合には、回転体の外周面に対向する環状の壁部を有するカム部材を用いることにより、回転体の外周部にカム部材を被せた簡単な構成で節度機構部を得ることができ、また、回転体の収納部に弾性部材を収納させることにより、回転体で弾性部材を保持することができ、この分、構成を簡単にすることができる。また、回転体の収納部に弾性部材を収納することにより、弾性部材の取扱いを容易にすることができ、これにより、回転型電気部品を一段と組み立て易くすることができる。
【００１１】
また、上記回転型電気部品において、前記接点機構部は、前記回転体側へ突出する係合部を有し、前記回転体は、回転に応じて前記係合部を係脱して前記端子と前記可動接点との導通状態を切り換える溝部が形成された突堤部を前記回転の方向に沿って有し、前記溝部と前記収納部とは、前記回転の方向において異なる位置に設けられ、前記収納部は、前記回転体の前記突堤部が形成された一面側に開口部を有すると共に、該開口部の一部を塞いで前記弾性部材の位置を規制する規制部を有することが好ましい。この場合には、弾性部材の収納部と突堤部の溝部とが回転体の回転方向（周方向）において異なる位置に設けられるので、両者が干渉することはなく、回転体の周方向の同じ位置に設ける場合に比べて、回転体の軸線方向の寸法を小さくすることができる。これにより、回転型電気部品全体として一段と小型化することができる。また、回転体の一面側に収納部の開口部を設けたことにより、組立て時等において、収納部内の弾性部材の状態を容易に確認することができる。さらに、収納部に規制部を設けたことにより、収納部に収納された弾性部材が収納部から脱落することを防止することができる。
【００１２】
また、上記回転型電気部品は、一対の前記端子と、前記一対の端子に対応した一対の前記突堤部とを具備し、前記一対の突堤部は、それぞれ前記回転体の回転中心から異なる距離に同心円状に設けられ、各々の突堤部には、前記回転体の回転方向において異なる位置に前記溝部が形成されていることが好ましい。この場合には、一対の端子に対応した一対の突堤部を設ける場合においても、弾性部材の収納部と一対の突堤部の溝部とが回転体の回転方向（周方向）において異なる位置に設けられるので、両者が干渉することはなく、回転体の軸線方向等の寸法を小さくすることができる。
【００１３】
また、上記回転型電気部品において、前記駆動部材は、球体であり、前記収納部は、前記回転体の径方向に形成され前記回転体の外周面に開口部を有すると共に前記球体を前記径方向に移動可能にガイドする穴部であり、前記回転体の外周面と前記カム部の凹部との間の間隔は、前記球体の直径よりも小さいことが好ましい。この場合には、弾性部材によって付勢された球体が該付勢力をもってカム部材の凹部に当接することにより、回転体とカム部材とを仮保持することができ、組み立てを容易に行うことができる。
【００１４】
また、上記回転型電気部品において、前記回転体は、内周面に複数の突部が設けられた筒状軸を有し、前記筺体は、内部に前記摺動子が配設されるケースと、前記端子が突出されるカバーとを有し、前記ケース及び前記カバーには、それぞれ前記回転体の筒状軸を回転可能に支持する支持部が設けられ、前記ケース及び前記カバーのうちの少なくとも一方には、前記回転体の筒状軸の内部と前記筺体外部とを連通させる孔部が形成されていることが好ましい。この場合には、ケース又はカバーに設けられた孔部を介して、筺体外部から筺体内部の回転体に設けられた筒状軸内部に操作体の一部を挿通させることにより、筺体外部から回転体を回転させることができる。この場合、筒状軸の内周面には、複数の突部が形成されていることにより、操作体の回転を確実に回転体へ伝達することができる。
【００１５】
また、上記回転型電気部品において、前記ケースと前記カバーとは、前記ケース及び前記カバーのうちの一方に設けられた爪部と他方に設けられた弾性腕の孔部とが係合されて一体化されることが好ましい。この場合には、ケース及びカバーを簡単に一体化することができることにより、組み立て作業が容易になる。
【発明の効果】
【００１６】
本発明によれば、回転操作の節度感を維持し得る回転型電気部品を提供することが可能となる。
【発明を実施するための最良の形態】
【００１７】
以下、本発明の一実施の形態について添付図面を参照して詳細に説明する。
図１は、本発明の一実施の形態に係る回転型電気部品の分解斜視図である。図２は、本実施の形態に係る回転型電気部品の全体斜視図である。
【００１８】
図１において、回転型電気部品は、筺体を構成するケース１及びカバー２と、これらのケース内に収納されるスイッチ機構部３とを有する。
【００１９】
ケース１は、合成樹脂等の絶縁材からなり、上面が開口された収納部１ａを有する矩形状の箱型に形成されている。このケース１の収納部１ａの内底部中央には、後述する円盤状の回転体７の筒状軸７ｂが挿通されて回転可能に保持される軸受孔である孔部１ｂが設けられており、また、一つの内側部には、後述する接点機構部２１を構成する導体板１０の基部１０ａが挿入され保持される保持機構部１ｃが設けられている。また、ケース１の外側板部には、カバー２の弾性腕２ａの孔部と係合する複数の爪部１ｄが設けられている。
【００２０】
ウエハ４は、ケース１と同じく合成樹脂等の絶縁材からなり、外形が略Ｔ字状に形成されており、中央には回転体７の筒状軸７ｂが挿通される貫通孔４ａが設けられている。この両側には、複数の摺動子５が配設されている。この摺動子５は、弾性を有する導電性の薄板金属板からなり、インサート成形等の方法によりウエハ４に一体に埋設されている。摺動子５の一端側は、ウエハ４の上面側に屈曲して配設され接点部５ａを形成している。また、摺動子５の他端側は、ウエハ４の一端側から導出されて下方へ延出されコード出力端子５ｂを形成している。
【００２１】
ウエハ４は、ケース１の収納部１ａ内に収納され、孔部１ｂに貫通孔４ａが対向されると共に、コード出力端子５ｂがケース１の底面部に設けられた端子孔１ｅに挿入されて底面側に突出される。また、ウエハ４の側面部には、ケース１の内側部において、このケース１の上面側の開口から内底面に向かって延設されたガイド突起１ｆと係合して位置決めされる複数のガイド溝４ｃが形成されている。これにより、組立工程において、ウエハ４は、そのガイド溝４ｃがケース１のガイド突起１ｆにガイドされながら、ケース１の上面側の開口から内底面に向かって挿入され、摺動子５の出力端子５ｂがケース１の端子孔１ｅ内に位置決めされて挿入される。
【００２２】
コード基板６は、合成樹脂等の絶縁材で略円板状に形成されており、この絶縁板の中央には回転体７の筒状軸７ｂが挿入される貫通孔６ａが設けられている。また、コード基板６の一面側には、貫通孔６ａの周囲に沿って円弧状に配設された複数の導電パターン１２ｂが設けられている。この導電パターン１２ｂは、筒状軸７ｂが挿入される貫通孔１２ａが形成された導電性の金属板１２を、コード基板６の底面側から一部表面に表出して、インサート成形等の方法でコード基板６に一体に埋設する方法により形成されている。なお、導電パターン１２ｂの形成方法としては、上記に限らず、コード基板６の表面に銀やカーボン等の導電性インクを印刷等の方法で形成するようにしてもよい。この導電パターン１２ｂとウエハ４に設けられた摺動子５の接点部５ａが摺接してコード出力されるものとなっている。すなわち、導電パターン１２ｂ及びこれに摺接する摺動子５は、回転型電気部品の回転検出手段２２を構成し、導電パターン１２ｂは、回転検出手段２２のコードパターンを構成している。導電パターン１２ｂが形成された金属板１２を有するコード基板６は、回転体７の後述する基盤部７ａの下面７ｍに設けられている。なお、回転検出手段２２は、導電パターン１２ｂとして抵抗体パターンを用いた可変抵抗器であってもよい。
【００２３】
回転体７は、合成樹脂等の絶縁材からなり、基部をなす円板状の基盤部７ａと、この基盤部７ａの中央に上下に突出した筒状軸７ｂとを有している。基盤部７ａの上面側には、同心円状に突出した２列の円環状の突堤部７ｃが設けられている。この一対の突堤部７ｃの円環状の一部には筒状軸７ｂの軸心を挟んで対峙する位置にＶ字状に切り欠かれた一対の溝部７ｄが形成されている。これら突堤部７ｃにより後述する一対の導体板１０の各々の可動片部１０ｂが傾動されて電源スイッチ部の接点の切り換えが行われるようになっている。
【００２４】
また、基部である基盤部７ａの外周部には、鍔部７ｅが設けられており、この鍔部７ｅは、後述するカム部材９の板状部９ａと該カム部材９のカム部９ｃを挟んで対峙するように形成されている。
【００２５】
また、回転体７の基盤部７ａの一部には、外周面７ｈから筒状軸７ｂへ向かう径方向に穴形状の収納部７ｆが設けられており、２列の突堤部７ｃのうち、外側の突堤部７ｃの外周表面部である外周面７ｈにこの収納部７ｆの開口部７ｇが形成されている。この収納部７ｆには、例えばコイルばねからなる弾性部材８ｂ及び例えば球体である駆動部材８ａが挿入されている。駆動部材８ａは、金属（鋼球）によって形成されている。駆動部材８ａは、収納部７ｆ内において、この収納部７ｆの形成方向である径方向に移動自在に保持され、かつ弾性部材８ｂによって径方向における外方に向かって弾性付勢される。
【００２６】
かかる構成の回転体７の下面側には、前記コード基板６がその貫通孔６ａに筒状軸７ｂが挿通されるように配設されている。この場合、コード基板６の導電パターン１２ｂが設けられた面が下面側となるように取り付けられる。この取り付け状態において、コード基板６の上面に形成された突起部６ｂが回転体７の下面７ｍに形成された係合用の穴部に係合されることにより、コード基板６は、回転体７と一体に回転するものとなっている。
【００２７】
回転体７は、ケース１の収納部１ａ内に収納され、基盤部７ａの下面側に配設されたコード基板６の導電パターン１２ｂと、ウエハ４に設けられた摺動子５の接点部５ａとが対向された状態で、筒状軸７ｂがケース１の孔部１ｂに回転可能に挿通されている。これにより、回転体７の下面側に一体化された導電パターン１２ｂと、ケース１に支持された摺動子５とが接触し、回転体７が回転すると、導電パターン１２ｂに応じたコード出力が得られる回転検出手段２２が構成される。
【００２８】
カム部材９は、合成樹脂等の絶縁材からなり、回転体７の外周面７ｈに対向配置される環状部９ｂと、この環状部９ｂの上端部に設けられた板状部９ａと、環状部９ｂの内周面を構成する環状の壁部９ｄを有する。カム部材９は、ケース１の収納部１ａ内に収納されたウエハ４の突起部４ｄと、ケース１の内側面部に形成された位置決め部１ｇによってケース１内で所定の位置に位置決めされる。
【００２９】
環状部９ｂの内周面には、回転体７の外周面７ｈと対向する複数の凹凸部からなるカム部９ｃが形成されている。すなわち、カム部９ｃの凸部は、回転体７の回転軸（筒状軸７ｂ）に向かう径方向に突出するように形成されている。そして、このカム部９ｃは、環状部９ｂの内周に沿って全周に亘って順次形成されている。
【００３０】
カム部９ｃには、回転体７の収納部７ｆにおいて回転体７の径方向における外方に付勢された駆動部材８ａが、その付勢力によって当接するように構成されている。これにより、回転体７が回転すると、駆動部材８ａは、ケース１と固定関係にあるカム部９ｃの凹凸形状に沿って摺動することにより、回転体７を回転させる操作に節度ある操作感が与えられる。板状部９ａ、カム部９ｃ及び駆動部材８ａによって、回転体７の回転操作に節度ある操作感を与える節度機構部２３が構成される。
【００３１】
また、カム部材９に一体に設けられた板状部９ａは、環状部９ｂの上端部から、凹凸状のカム部９ｃの突出方向である内側に向かって設けられている。これにより、この板状部９ａは、回転体７の外周面７ｈと、カム部材９のカム部９ｃとの間に形成される間隙を上部から覆うようになっている。
【００３２】
また、カム部材９に設けられた板状部９ａの上面側には、一対の端子（ＡＣ入力端子）１１が設けられており、この端子１１の固定接点１１ａと、該固定接点１１ａとの間で導通と非導通との切換えが行われる可動接点１０ｅを有する導体板１０とによって一対の接点機構部２１が構成されている。導体板１０は、弾性を有する導電性の金属板からなり、一端側に基板接続用のＡＣ（交流電源）出力端子１０ｃが設けられた基部１０ａと、この基部１０ａの他端側に連設され略Ｌ字状に延びる可動片部１０ｂとを有している。基部１０ａは、ケース１に支持されている。また、可動片部１０ｂの略中央部には、板面の下方向へ突出する係合部１０ｄが設けられ、さらに先端側には銀等の金属チップ等からなる可動接点１０ｅが固着されている。
【００３３】
この導体板１０は、ケース１の外方へ延出されると共に、可動片部１０ｂの下面側に突出した係合部１０ｄと回転体７の基盤部７ａの上面側に設けられた円環状の突堤部７ｃとが対向した状態で保持されている。
【００３４】
導体板１０は、回転体７の非操作時の初期状態では、可動片部１０ｂの下面側の係合部１０ｄが突堤部７ｃの一部に設けられた溝部７ｄに嵌入されて、先端側の可動接点１０ｅが端子１１に固着された固定接点１１ａとは離間して回路はオフ状態となっている。そして、回転体７の回転に伴って下面側の係合部１０ｄが突堤部７ｃの上面に乗り上げることにより、可動片部１０ｂが傾動されて可動接点１０ｅがその上方に対向して配設された固定接点１１ａと接触して回路がオン状態になるものとなっている。
【００３５】
カバー２は、合成樹脂等の絶縁材からなり、下面側が開口された矩形状の箱型に形成されている。このカバー２の上板部２ｆの中央には軸孔である孔部２ｂが設けられており、この孔部２ｂの横には、略矩形状の突壁部で囲まれＡＣ入力部２ｃが設けられている。ＡＣ入力部２ｃの突壁部に囲まれた内部においては、カバー２の上板部２ｆに貫通孔２ｅが形成されており、この貫通孔２ｅを介して、カバー内部から外部に端子１１が引き出されている。端子１１は、導電性の金属板からなり、一端側がカバー２のＡＣ入力部２ｃの貫通孔２ｅを介して外部に引き出されていると共に、他端側には銀等の金属チップ等からなる固定接点１１ａが固着されている。
【００３６】
図２に示すように、カバー２は、ケース１の収納部１ａの開口を覆うようにケース１の上面側に取り付けられるものとなっており、このケース１とカバー２とで回転型電気部品の筺体を構成している。カバー２の弾性腕２ａの孔部に、ケース１の爪部１ｄを係合させることにより、容易にケース１にカバー２を取り付けることができる。
【００３７】
このように、回転型電気部品においては、回転体７の下面側にコード基板６とこのコード基板６の導電パターン１２ｂに接触する摺動子５とからなる回転検出手段２２が配置され、上面側に突堤部７ｃが形成されると共にこれに係合する導体板１０が設けられてＡＣ入力部が配置されることにより、１つの回転体７を用いてその上下に端子１１を含むＡＣ入力部及び回転検出手段２２が併設されている。そして、この回転体７の外周面７ｈに対向するようにカム部材９のカム部９ｃが設けられ、外周面７ｈとカム部９ｃとの間の間隙を上部から覆うように板状部９ａが設けられている。すなわち、カム部材９の板状部９ａの上側にＡＣ入力部が配置され、下側にカム部９ｃが配置される。これにより、板状部９ａの上側にはＡＣ入力部においてカバー２に形成された端子１１を外部に引き出すための貫通孔が設けられ、下側に回転体７の外周面７ｈとカム部９ｃとの間の間隙が配置されることになる。
【００３８】
図３は、回転型電気部品の縦断面図であり、ケース１の孔部１ｂ及びカバー２の筒状軸受部２ｄによって、回転体７の筒状軸７ｂが回転可能に支持されている。すなわち、孔部１ｂと筒状軸受部２ｄによって筒状軸７ｂを回転可能に支持する支持部が構成される。筒状軸７ｂの内周面には、複数の突起７ｉが形成されており、この突部に係合させるように操作体の軸部（図示せず）を挿通させることにより、操作体と回転体７とを一体化させることができる。これにより、操作体が回転操作された場合には、その回転に伴って、回転体７が回転する。
【００３９】
また、上述したように、ケース１には、カム部材９が固定されている。この固定状態において、カム部材９のカム部９ｃが形成された面は、回転体７の外周面７ｈに対面するように配置される。回転体７においては、弾性部材８ｂを収納する収納部７ｆが回転体７の径方向に延設されており、この収納部７ｆ内に収納した弾性部材８ｂによって、球体である駆動部材８ａが回転体７の径方向における外方に向けて弾性付勢される。カム部材９においては、この弾性付勢された駆動部材８ａを係脱する凹凸部が形成された環状の壁部９ｄが駆動部材８ａの付勢方向に略直行するように配置されることにより、回転体７の筒状軸７ｂを回転中心とした回転動作に応動して、駆動部材８ａがカム部９ｃの凹凸部上を摺動する。これにより、回転体７の回転操作に節度感が与えられ、良好な操作感が得られるようになっている。
【００４０】
また、回転体７の外周面７ｈとカム部９ｃとの間隙の上部には、カム部９ｃと一体に形成された板状部９ａが配置され、この板状部９ａによって間隙が上部から覆われている。板状部９ａの上部には、カバー２のＡＣ入力部２ｃが配置されており、このＡＣ入力部２ｃの内部には、端子１１をカバー内部から外部に引き出すための貫通孔２ｅが設けられている。
【００４１】
このように、板状部９ａを挟んでその上側に貫通孔２ｅが配置され、下側に回転体７の外周面７ｈとカム部９ｃとの間の間隙が配置されていることにより、例えば、貫通孔２ｅを介してカバー２の外部から侵入した異物は、板状部９ａに遮られて、回転体７の外周面７ｈとカム部９ｃとの間の間隙に進入し難くなる。これにより、カム部９ｃに異物が付着することが防止される。この結果、カム部９ｃに異物が付着することによる回転操作の節度感の低下を未然に防止して、良好な操作感を維持することができる。
【００４２】
また、カム部材９の凹凸部が形成された壁部９ｄは、回転体７の回転軸である筒状軸７ｂに向くように設けられていることにより、回転体７の回転軸（筒状軸７ｂ）を鉛直方向に向けて配置した場合には、カム部材９の凹凸部が形成された壁部９ｄが鉛直方向に直立した状態となる。これにより、この凹凸部に異物が溜り難くなる。従って、この場合においても、カム部９ｃに異物が付着することによる回転操作の節度感の低下を未然に防止して、良好な操作感を維持することができる。
【００４３】
図４は、回転体７、コード基板６、導電パターン１２ｂ、ウエハ４及び摺動子５を示す斜視図である。図４に示すように、回転体７の下面側には、鍔部７ｅが形成されており、カム部材９（図３）の板状部９ａと対峙するように配置される。鍔部７ａの下面側には、コード基板６が固定され、このコード基板６に設けられた導電パターン１２ｂに対して、ウエハ４に支持された摺動子５の接点部５ａが接触する。回転体７をその筒状軸７ｂを中心にして回転させると、導電パターン１２ｂが回転体７と一体となって回転することにより、摺動子５の接点部５ａが導電パターン１２ｂ上を摺動する。これにより、導電パターン１２ｂに応じたコードパターンがコード出力端子５ｂから出力される。
【００４４】
回転体７の鍔部７ｅが設けられていることにより、回転体７の外周面７ｈとカム部材９のカム部９ｃ（図３）との間の間隙は、下方から覆われる。これにより、回転体７の外周面７ｈとカム部９ｃとの間の間隙には、下方からも異物が侵入し難くなることにより、カム部９ｃに形成された凹凸部への異物の付着が防止される。すなわち、カム部９ｃに対する異物の付着は、カム部材９の板状部９ａ（図３）と回転体７の鍔部７ｅとによって上下両方向から覆われることにより、異物の侵入が一段と有効に回避される。
【００４５】
また、回転体７の下面側に導電パターン１２ｂとこれに摺接する摺動子５を配置したことにより、回転体７の上面側においてカバー２に形成された貫通孔２ｅ（図３）から異物が侵入した場合であっても、カム部材９の板状部９ａと回転体７の鍔部７ｅとによって、導電パターン１２ｂに異物が付着することを防止することができる。これにより、導電パターンと摺動子との接点切換えの信頼性を向上させることができる。
【００４６】
また、導電パターン１２ｂを形成する金属板１２が埋設されたコード基板６は、回転体７とは別体に形成されて回転体７に取り付けられていることにより、導電パターン１２ｂを形成する金属板１２と絶縁板であるコード基板６とからなる回転検出手段２２を変更するだけで、導電パターンによる接点切換えのタイミングが異なる回転型電気部品を得ることができる。これにより、構成が複雑であり金型が高価な回転体７を共通に用いることができる。
【００４７】
また、摺動子５においては、ウエハ４に支持される根本部５ｃの幅が、接点部５ａを有する先端部５ｄの幅よりも小さく形成されている。これにより、弾性を有する金属板で形成される摺動子５が撓み易くなり、製品寿命が短くなることを回避することができる。
【００４８】
図５は、回転体７及びカム部材９の横断面図であり、カム部材９においては、上述したように、回転体７の外周面７ｈに対向する環状の壁部９ｄに凹凸状のカム部９ｃが形成されている。上述したように、回転体７には、その径方向に延設された穴状の収納部７ｆが設けられており、この収納部７ｆにコイルばねからなる弾性部材８ｂが圧縮状態で収納されている。この弾性部材８ｂは、収納部内において、回転体７の径方向に伸縮可能に収納されている。この弾性部材８ｂとカム部材９のカム部９ｃとの間に球体である駆動部材８ａが介挿されており、駆動部材８ａは、弾性部材８ｂによって回転体７の径方向における外方へ弾性付勢される。これにより、駆動部材８ａは、カム部９ｃに対して、弾性部材８ｂの付勢力に応じた力で当接する。
【００４９】
この状態において、回転体７が筒状軸７ｂを中心に回転すると、駆動部材８ａは、弾性部材８ｂの付勢力によってカム部９ｃへの当接を維持しながら、カム部９ｃの凹凸状の表面を摺動する。これにより、回転体７の回転操作に節度感が与えられ、良好な操作感が得られるようになっている。
【００５０】
また、回転体７の外周面７ｈに対向する環状の壁部を有するカム部材９を用いることにより、回転体７の外周部７ｈにカム部材９を被せた簡単な構成で節度機構部２３を得ることができ、また、回転体７の収納部７ｆに弾性部材８ｂを収納させることにより、回転体７で弾性部材８ｂを保持することができ、この分、構成を簡単にすることができる。また、回転体７の収納部７ｆに弾性部材８ｂを収納することにより、弾性部材８ｂの取扱いを容易にすることができ、これにより、回転型電気部品を一段と組み立て易くすることができる。
【００５１】
また、回転体７の外周面７ｈとカム部９ｃの凹部との間の間隔ｄは、球体である駆動部材８ａの直径よりも小さくなっている。これにより、弾性部材８ｂによって付勢された駆動部材８ａが該付勢力をもってカム部材９のカム部９ｃに当接することにより、回転体７とカム部材９とを仮保持することができ、組み立てを容易に行うことができる。
【００５２】
図６は、回転体７、一対の端子１１及び導体板１０を示す斜視図である。図６に示すように、導体板１０は、回転体７の上部に配置され、導体板１０の一部には、回転体７側へ突出する係合部１０ｄが形成されている。回転体７の回転に伴って、回転体７の上面に形成された突堤部７ｃの溝部７ｄに係合部１０ｄが係脱されることにより、導体板１０の可動接点１０ｅと、端子１１の固定接点１１ａとの導通状態が切り換えられる。すなわち、導体板１０の係合部１０ｄが溝部７ｄに入り込んだ状態では、導体板１０の可動接点１０ｅが端子１１の固定接点１１ａから離間した状態となることにより、非導通状態となる。またこれに対して、導体板１０の係合部１０ｄが溝部７ｄから脱して突堤部７ｃの上部に乗り上げた状態では、導体板１０の可動接点１０ｅが端子１１の固定接点１１ａに接触する状態となることにより、導通状態となる。これにより、回転体７が回転操作された場合には、回転体７の回転位置に応じて、端子１１を介したＡＣ電源の供給が、供給状態又は遮断状態に切り換えられる。
【００５３】
ここで、図７に示すように、回転体７において、突堤部７ｃに形成された溝部７ｄと、弾性部材８ｂを収納する収納部７ｆとは、回転体７の回転方向において異なる位置に設けられている。これにより、収納部７ｆと溝部７ｄとが干渉することはなく、両者の干渉を防ぐために突堤部７ｃの突出量（高さ寸法）を大きくする必要がないので、回転体の周方向の同じ位置に設ける場合に比べて、回転体７の回転軸線方向の寸法を小さくすることができる。これにより、回転型電気部品全体として一段と小型化することができる。
【００５４】
また、一対の溝部７ｄは、回転体７の回転軸である筒状軸７ｂを挟んで互いに対向する位置に設けているため、溝部７ｄとそれぞれ係合する一対の導体板１０を回転体７の回転軸を挟んで分散配置することができるので、回転型電気部品の更なる小型化が可能となる。
【００５５】
また、回転体７の突堤部７ｃが形成された一面側には、収納部７ｆの開口部７ｊが形成されている。そして、この開口部７ｊの一部を塞いで弾性部材８ｂの位置を規制する規制部７ｋが形成されている。この開口部７ｊにより、組立て時等において、収納部７ｆ内の弾性部材８ｂの状態を容易に確認することができる。また、規制部７ｋに弾性部材８ｂの一部が係合されることより、収納部７ｆに収納された弾性部材８ｂが収納部７ｆから脱落することが防止される。なお、規制部７ｋは、回転体７の基盤部７ａの一面（上面）から突出しているが、その突出量は突堤部７ｃよりも小さく、導体板１０の係合部１０ｄと当接しないように形成されている。
【００５６】
以上説明した回転型電気部品において、回転体７の筒状軸７ｂに係合された操作体（図示せず）が回転操作されると、カム部材９のカム部９ｃを構成する凹凸部の表面を所定の付勢力をもって駆動部材８ａが摺動することにより、節度感のある操作感が操作者に伝わる。この操作感は、カム部９ｃを構成する凹凸部の凹部にある駆動部材８ａが、凸部を乗り越えて隣りの凹部に移動する際に得られるものであり、凹部に異物が付着すると、その節度感が損なわれることになる。本実施の形態の回転型電気部品では、カム部材９に設けられた板状部９ａによってカム部９ｃへの異物の侵入が防止されることにより、節度ある良好な操作感が維持される。
【００５７】
特に、板状部９ａの上部にカバー２の貫通孔２ｅ等、外部空間と内部空間とが連通する構成要素が配置されている場合、この貫通孔２ｅ等を介して異物が侵入し易くなる。本実施の形態の回転型電気部品では、板状部９ａの上方に貫通孔２ｅ等の異物が侵入する可能性のある構成要素が配置されている構成において、板状部９ａの下方にカム部９ｃが配置されることにより、カム部９ｃへの異物の侵入が有効に回避される。
【００５８】
なお、本発明は上記実施の形態に限定されず、種々変更して実施することが可能である。上記実施の形態において、添付図面に図示されている大きさや形状などについては、これに限定されず、本発明の効果を発揮する範囲内で適宜変更することが可能である。その他、本発明の目的の範囲を逸脱しない限りにおいて適宜変更して実施することが可能である。
【００５９】
例えば、上記実施の形態においては、駆動部材８ａとして、球体を用いる場合について述べたが、本発明はこれに限られるものではなく、要は、カム部９ｃとの接触部分において、カム部９ｃに当接する方向に突出し、回転体７の回転方向に湾曲した形状を有していればよい。
また、上記実施の形態においては、弾性部材８ｂとして、コイルばねを用いる場合について述べたが、本発明はこれに限れられるものではなく、他の種々の形状のばね部材又はばね部材以外の例えばゴム等の弾性体を用いるようにしてもよい。
【図面の簡単な説明】
【００６０】
【図１】本発明の一実施の形態に係る回転型電気部品の分解斜視図である。
【図２】上記実施の形態に係る回転型電気部品の全体斜視図である。
【図３】上記実施の形態に係る回転型電気部品の縦断面を示す断面図である。
【図４】上記実施の形態に係る回転型電気部品の回転体及び摺動子を示す斜視図である。
【図５】上記実施の形態に係る回転型電気部品の回転体及びカム部材の横断面を示す横断面図である。
【図６】上記実施の形態に係る回転型電気部品の回転体の突堤部と導体板との係合状態を示す斜視図である。
【図７】上記実施の形態に係る回転型電気部品の回転体の上面を示す斜視図である。
【符号の説明】
【００６１】
１  ケース（筐体）
１ａ  収納部
１ｂ  孔部（軸受孔）
１ｃ  保持機構部
２  カバー（筺体）
２ａ  弾性腕
２ｂ  孔部（軸孔）
２ｃ  ＡＣ入力部
３  スイッチ機構部
４  ウエハ
５  摺動子
５ａ  接点部
５ｂ  コード出力端子
６  コード基板
７  回転体
７ａ  基盤部（基部）
７ｂ  筒状軸
７ｃ  突堤部
７ｄ  溝部
７ｅ  鍔部
７ｆ  収納部
７ｇ、７ｊ  開口部
７ｈ  外周面
７ｋ  規制部
８ａ  駆動部材（球体）
８ｂ  弾性部材
９  カム部材
９ａ  板状部
９ｃ  カム部
９ｄ  壁部
１０  導体板
１０ｂ  可動片部
１０ｃ  ＡＣ出力端子
１０ｄ  係合部
１０ｅ  可動接点
１１  端子
１１ａ  固定接点
１２  金属板
１２ｂ  導電パターン
【図１】
0004987596.tif 000002
【図２】
0004987596.tif 000003
【図３】
0004987596.tif 000004
【図４】
0004987596.tif 000005
【図５】
0004987596.tif 000006
【図６】
0004987596.tif 000007
【図７】
0004987596.tif 000008